(57)【要約】【目的】  補正レンズ移動時の摩擦抵抗を減らし、部品点数を削減した簡単構造であり、組み立て効率の高い防振装置を提供する。【構成】  レンズ鏡筒の固定部である保持枠５と補正移動可能な補正レンズ２の支持枠３に光軸１に垂直な平面を構成する少なくとも三つの円盤磁極を有する磁性体をそれぞれに固設させた保持機構１６、１７、１８を有し、当該磁極が対になるよう対向位置に鋼球１６３、１６４、１６５を介在して吸引せしめて保持する保持手段を持ち、補正レンズ２の全方向移動は鋼球１６３、１６４、１６５の磁極円盤表面の転動で得られる。【選択図】図１
2006215122.tif 000002
【特許請求の範囲】
【請求項１】
レンズ鏡筒内に設置され、光軸を偏心させる補正レンズと、前記レンズ鏡筒に加わる振動を検知する振動検知手段と、該振動検知から得られる信号に基づいて前記補正レンズを駆動し、画像振れを防止する制御手段とを備えた画像振れ防止装置であって、お互い垂直の関係にある第一方向と第二方向の駆動機構によって前記補正レンズを光軸中心に全方向に移動可能な補正レンズ可動機構において、レンズ鏡筒の固定部に対する前記補正レンズの保持手段は少なくとも三つの円盤磁極を有する磁性体をそれぞれに固設した前記固定部と前記補正レンズの支持枠の間に鋼球を介在させた対面引力による保持手段であって、前記固定部と前記支持枠の磁極間引力で保持しながら、前記鋼球の転がりによって前記補正レンズの光軸に対するほぼ垂直な全方向移動を可能にしたことを特徴とする画像振れ防止装置。
【請求項２】
前記レンズ鏡筒の固定部に対する前記補正レンズの保持手段は前記補正レンズの支持枠と前記レンズ鏡筒の固定部にそれぞれ固設する円盤磁極が互いに対極であって、同一直径を有する磁極の対で構成するものであり、前記固定部の磁極と前記支持枠の磁極との対面位置は前記レンズ鏡筒の光軸と前記補正レンズの光軸が一致する位置であり、前記補正レンズの全方向移動に対して前記レンズ鏡筒の光軸位置に磁力で復帰する習性を与えたことを特徴とする請求項１に記載の画像振れ防止装置。
【請求項３】
前記補正レンズの全方向移動に対して生じる磁力による光軸位置への復帰習性は前記レンズ鏡筒の固定部と前記補正レンズの支持枠に固設する円盤磁極において、縁の面取りの調整で得られた磁力によるものであることを特徴とする請求項１に記載の画像振れ防止装置。
【発明の詳細な説明】
【技術分野】
【０００１】
本発明は、光学的防振装置に関し、特に画像振動を補正するためにレンズ鏡筒に設置する画像振れ防止装置の構造に関する。
【背景技術】
【０００２】
撮影レンズを構成する一部の補正レンズを光軸と垂直な方向に移動する機構は、例えばカメラにおいて像振れの原因であるカメラ振れの加速度を検知することによって像振れを予測し、この予測信号に基づいてレンズを直角方向に移動することによって、像振れを抑制する防振装置が提案されている。
【０００３】
これら防振装置については種々の方法が提案されているが、如何なる振動方向でも補正レンズを光軸に対して直角方向に補正移動可能な機構でなくてはならなく、一例として特開平１０−２６７８４号公報では、補正レンズ鏡枠側面の３箇所から放射状に案内軸を設け、防振装置本体側面に設けられている３箇所の案内溝にそれぞれ挿入し、補正レンズ鏡枠が全方向に補正移動可能とし、更に該補正レンズ鏡枠が光軸中心に保持出来るよう本体側面３箇所から付勢されたコイルばねで宙づりにする構造が開示されていて、ＸとＹ方向移動のための二つのムービングコイルに働く合成力と前記ばねの弾性抗力の差で決まる量だけ、光軸に直角な移動を決定するシステムを提案している。
【０００４】
また、移動時の摩擦抵抗を減らすため、補正レンズ鏡枠の案内軸と溝の嵌合精度を緩め、遊動させたいがこのために生じる移動時の振動が補正精度に影響を与えることから好ましくない。このため一方に寄せて補正レンズ枠の光軸に対する垂直平面の精度を保つように、補正レンズ枠を光軸に保つ付勢ばねの分力によって保持面に当てる方法も提案されているが結果的には保持面に圧力を掛けることから摩擦抵抗を減らす効果は得られていない。
【０００５】
この改善策として、特開２００２−１９６３８３号公報では固定部材と可動部材及びシフト部材の間にボールを狭持せしめて、このボールの転動によって駆動性能を改善する方法が提案され、従来より補正レンズの移動時における摩擦抵抗が格段に減少する効果は認められる。
【特許文献１】特開平１０−２６７８４号公報
【特許文献２】特開２００２−１９６３８３号公報
【発明の開示】
【発明が解決しようとする課題】
【０００６】
しかしながら、上記特開平１０−２６７８４号公報では前記補正レンズ鏡枠を光軸に対して直角に保持するために前記案内軸と固定部の案内溝の嵌合精度を高める必要があり、そのために軸と溝の間に生ずる摩擦抵抗が増え、迅速な垂直移動の妨げになっている。
【０００７】
また、特開２００２−１９６３８３号公報では可動部材およびシフト部材における各光軸直交面と固定部材における光軸直交面との間に転動可能に配置されたボールと、可動部材とシフト部材との間に設けられ、各光軸直交面により各ボールを狭持させるための付勢力を発生する付勢部材を設けるようにするなど構成が複雑となり、部品点数と組み立て上の問題が別に発生していた。
【０００８】
解決しようとするものは前記問題点であって、補正レンズは光軸に対して垂直平面を保持しながら如何なる振動方向に対しても補正方向に迅速に応動可能な性能を保証すると共に、手振れ補正モード終了後、速やかに光軸中心位置に復帰出来るよう、如何なる方向の移動位置であっても、復帰習性が与えられているものである上に、部品点数を削減した簡単構造であり、組み立て効率の高い防振装置を提供することにある。
【課題を解決するための手段】
【０００９】
本発明の画像振れ防止装置においてはレンズ鏡筒の固定部と補正移動可能な補正レンズの支持枠に光軸に垂直な平面を構成する少なくとも三つの円盤磁極を有する磁性体をそれぞれに固設させた保持機構を有し、当該磁極が対になるよう対向位置にボールを介在して吸引せしめて保持する保持手段を持ち、補正レンズの全方向移動はボールの磁極円盤表面の転動で得られるもので、摩擦抵抗が激減した移動効率の高い防振機構が得られる。
【発明の効果】
【００１０】
本発明は、レンズ鏡筒の固定部と補正移動可能な補正レンズの支持枠に光軸に垂直な平面を構成する少なくとも三つの円盤磁極を有する磁性体をそれぞれに固設させた保持機構を有し、当該磁極が対になるよう対向位置にボールを介在して吸引せしめて保持する保持手段を持ち、補正レンズの全方向移動はボールの磁極円盤表面の転動で得られるものとしたので、特にボールが磁性体である鋼球である場合、ボールが磁極の中央で吸着し、脱落することが無く、機構の組み立て作業効率が良い。また、対向する円盤磁極が同一形状であり、対向する位置を相互の光軸に合致させる位置にすると、補正レンズを全方向に移動した場合、磁極間の磁力線の距離が変化するため磁気抵抗を減じる方向、すなわち光軸が合致する方向に戻ろうとする復帰習性が生じるため、従来用いている付勢ばねが不要となる効果がある。
【発明を実施するための最良の形態】
【００１１】
以下、図面等を参照して本発明の最も良好な実施形態を説明する。
【００１２】
図１は、本発明の画像振れ防止装置の１実施例の平面図であって、図２は本発明における断面図である。図３は鋼球を狭持する円盤磁石の全方向移動形態の様子を示す図で、図４は本発明の保持機構のマグネットの作用状態を説明した断面図であり、Ａ図は静止時、Ｂ図は移動時における磁極間の磁力線と作用引力の様子を説明したものである。図５は本発明の保持機構のマグネットの他の応用例として、長方形磁石を用いた場合の様子を示した斜視図である。
【００１３】
画像振れ防止装置は撮影レンズのレンズ群構成の中で光学的に最も効果的なレンズ群の一つ（補正レンズ）を手振れ振動の度合いに合わせて、光軸に対してほぼ垂直に移動させることによって被写体受光画面を静止させる装置であって、このレンズ群構成における補正レンズの位置に当該補正レンズを全方向に移動可能とし、これを画像振れ防止装置ユニットにして設置することが一般的である。本発明はこの改良であって、このユニットを１００で表し、図１はその平面図であり、図２では光軸１から上は中心００と０１、下は中心００と０２の断面図を示している。
【００１４】
先ず図１及び図２の画像振れ装置ユニット１００の全体構成について説明すると、大きく分けて図示しない鏡筒の補正位置に固定する保持枠５と可動部である補正レンズ２を支持する支持枠３とこれを保持枠５に対して保持する保持機構の三つに分けられ、本発明はこの保持機構に関している。
【００１５】
光軸１を中心に中空環状の保持枠５には板状対磁石のＹ駆動マグネット８、９とＸ駆動マグネット１０，１１が直角状に配置固着した下ヨーク６が固定されている一方、ほぼ直交点に当たる位置に後述する保持機構１６の円盤マグネット１６１とこの位置から等間隔の円周位置に保持機構１７、１８の円盤マグネット１７１、１８１が埋設されている。また他方、Ｙ駆動マグネット８，９の対向位置に案内軸受け５ａと５ｂが突出成形されていて、該案内軸受け５ａ、５ｂ間に案内軸５ｃが装架され、これを案内板４の案内軸受け４ａ、４ｂの穴に貫通させて案内板４がＸ方向にスライドできるようになっている。
【００１６】
中心に補正レンズ２を支持固定した支持枠３にはお互い直角になるようＹ駆動コイル１２とＸ駆動コイル１３が図のように配設されていて、そのほぼ直交点に当たる位置の裏側に後述する保持機構１６の円盤マグネット１６２とこの位置から等間隔の円周位置に保持機構１７、１８の円盤マグネット１７２、１８２が埋設されている。他方、図１の平面図の左側に示すように案内軸受け３ｃと３ｂが突出成形されていて、その穴に案内板４の案内軸受け４ｃと４ｄの間に装架してある案内軸４ｅが貫通されていて、補正レンズ２を含む支持枠３が案内板４に対してＹ方向にスライドできるようになっている。
【００１７】
固定部である保持枠５に対して保持機構１６、１７、１８によって平面に保持された支持枠３は案内軸４ｅの案内によってＹ方向、案内板４と一緒に案内軸５ｃの案内によってＸ方向にスライドでき、この二つの直角方向案内に従った動きは光軸に対して垂直関係にあり、補正レンズ２の保持枠３と一体に固着されているＹ駆動コイル１２とＸ駆動コイル１３の合成された駆動力により、回転動作を防止した全方向に定量的な移動が可能となっている。
【００１８】
Ｙ駆動コイル１２とＸ駆動コイル１３の駆動力発生方法としては前記のように保持枠５に設置された下ヨーク６に固着されているＹ駆動マグネット８、９とＸ駆動マグネット１０、１１の上部に一定間隙を確保するための支持棒にネジ１４及び１５で固定した上ヨーク７が設置されていて、Ｙ駆動マグネット８、９及びＸ駆動マグネット１０、１１によって、間隙に発生する磁力線が閉ループを描くようになっている。この間隙にＹ駆動マグネット８、９及びＸ駆動マグネット１０、１１の表面と上ヨーク７の表面との間に僅少ながら空隙を保てる位置に支持枠３のＹ駆動コイル１２とＸ駆動コイル１３が挿入維持されている。
【００１９】
補正レンズ２の光軸と鏡筒の光軸１が一致している状態ではＹ駆動マグネット８、９の磁極対向位置にＹ駆動コイル１２のそれぞれのコイル辺が、Ｘ駆動マグネット１０、１１の磁極対向位置にはＸ駆動コイル１３のそれぞれのコイル辺が僅少な間隙を保ちながら正確に覆うようになっているため、Ｙ駆動コイル１２及びＸ駆動コイル１３に電流を流す大きさと方向で、間隙に発生している磁力線との電磁作用によって光軸１に対して内側或いは外側に移動する駆動力が発生する。Ｙ駆動コイル１２とＸ駆動コイル１３はそれぞれ９０度開いた位置にあるため、駆動方向はそれぞれ９０度異なり、手振れ補正のための任意の方向移動はＹ駆動コイル１２とＸ駆動コイル１３の方向と駆動力の合成ベクトルで得られることになる。
【００２０】
補正レンズ２を含む支持枠３を手振れ防止に必要な補正量を手振れ動作に同期した迅速な応答が必要となるため、前述の保持機構１６、１７、１８は移動時の摺動摩擦を避け効率の良い移動が保証されなければならないことから、本装置では図３の３Ａに示すように固定部の保持枠５に埋設する円盤マグネットの１６１、１７１、１８１と可動部の支持枠３に埋設する円盤マグネット１６２、１７２、１８２の間に鋼球１６３、１７３、１８３を介在させた保持機構であって、図３の３Ｂに示すように対極で構成する円盤磁極間の鋼球が転動することによる全方向移動を可能にしたもので、保持機構１６、１７、１８はそれぞれ同一形状の同一機構で構成してある。
【００２１】
縦方向に着磁された円盤マグネットの磁極表面に磁極の直径に対してあまり小さくない直径の鋼球を接近させると磁極表面の周囲から均等の引力を受けるために、鋼球は中心に寄せられ円形磁極面の中央に吸着する性質を有する。例えば円盤マグネット１６１のＮ極を上に向けて鋼球１６３を置くとＮ磁極の円形表面中心位置に鋼球が吸着し、更に鋼球１６３の上に円盤マグネット１６２のＳ極を接触面にして吸着させると図３の３Ａ及び図４の４Ａに示すような円盤マグネット１６１と１６２の中心が鋼球１６３の中心を通して一直線に並ぶような引力作用で安定状態に保っている。
【００２２】
このことから固定部の保持枠５に埋設する円盤マグネット１６１、１７１、１８１と可動部の支持枠３に埋設する円盤マグネット１６２、１７２、１８２の間に鋼球１６３、１７３、１８３を介在させて、吸着保持させるとそれぞれの円形磁極の中心が一致する位置で安定保持することになり、この状態で鏡筒の光軸１と補正レンズ２の光軸が一致する構成になっている。図４の４Ａではそれぞれの円盤マグネット１６１と１６２が鋼球１６３を挟んで吸引し合っていて、磁極間に均一な磁力線φのループが生じていることを示している。
【００２３】
いま、支持枠３のＹ駆動コイル１２及びＸ駆動コイル１３に電流を流し、支持枠３を補正方向に移動させるための駆動力を発生させると、保持枠５に埋設する円盤マグネット１６１、１７１、１８１のそれぞれのＮ磁極面と支持枠３に埋設する円盤マグネット１６２、１７２、１８２のそれぞれのＳ磁極面の間に吸着保持している鋼球１６３、１７３、１８３が磁極面を転がりながら移動して行く。必要な移動量は保持枠５に埋設する円盤マグネット１６１、１７１、１８１と支持枠３に埋設する円盤マグネット１６２、１７２、１８２のそれぞれに生じる相対的なずれ量であるから介在する鋼球１６３、１７３、１８３は磁極表面をずれ量の半分の距離だけ転がれば良いことになる。
【００２４】
図４の４Ｂは固定部の保持枠５に対して補正レンズ２の支持枠３が補正に必要な量を移動した時の保持機構１６、１７、１８の状態を示していて、それぞれの磁極間の磁力線φが歪んだ状態になることを表している。この図４の４Ｂの状態は磁路が長くなり磁気抵抗が増えるため磁気抵抗を減らして安定な４Ａの状態に戻るべく矢印方向に復元力が働くことを意味し、補正レンズ２が補正方向に移動しても光軸位置に復帰する習性が在ることを意味している。これは従来機構において補正レンズを周囲からバネによって中心位置に戻す習性を与えていることと同じで、非常に簡易な構成で本案において実現できる。
【００２５】
図４において移動時の４Ｂに対して中心位置の４Ａの位置に戻る復元力はマグネットの強さや介在せしめる鋼球の大きさ等で決められるものであるが、簡易的には図４に示す円盤マグネット１６１、１７１、１８１及び１６２、１７２、１８２の対極側磁極縁の面取りｃの大きさで調整が可能である。
【００２６】
これまでは保持機構１６、１７、１８に直接円盤マグネットを対向設置し、対極間に鋼球を狭持する例を示したが磁気回路が構成されていて、当回路の中間に円盤磁極を生じさせ、その間に磁性球体が狭持できるような構成にすれば同様な効果が得られる。図５にその一例を示したのでこれを説明すると、固定部の保持枠５に長方形のマグネット２０と３０を図５に示すように円周上に磁極が揃う方向に設置し、図５の２１、２２及び３１、３２のような形状に加工された軟鉄磁性体からなるヨークに円盤磁極を成形すべくそれぞれ２１ａ、２２ａ及び３１ａ、３２ａを突出加工したヨークを作り、マグネット２０のＮ極端にヨーク２１、Ｓ極端にヨーク２２を、マグネット３０のＮ極端にヨーク３１、Ｓ極端にヨーク３２を接続して保持枠５に固設する。他方可動部の支持枠３には図５に示す２３及び３３の形状に加工された軟鉄磁性体からなるヨークに対し、ヨーク２３の両端に同じく円盤磁極を成形すべくそれぞれ２３ａ、２３ｂを突出加工したヨークとヨーク３３の両端に円盤磁極を成形すべくそれぞれ３３ａ、３３ｂを突出加工したヨークを固設し、これを図５に示すように対向位置に４つの鋼球２４、２５及び３４、３５を介在させて吸引保持する構成で、長方形のマグネット２０はヨーク２１、鋼球２４、ヨーク２３、鋼球２５そしてヨーク２２、またもう一方の長方形のマグネット３０はヨーク３１、鋼球３４、ヨーク３３、鋼球３５そしてヨーク３２の磁路の閉ループを構成しているため、同様な効果が得られる。
【００２７】
以上保持枠５に対する支持枠３の保持機構に関する本発明は鋼球で支持し、この転がりで全方向に移動可能にした構成は従来に比し飛躍的に移動効率を高めたものであり、特に鋼球受けを要せず、転動面に対して脱落することが無い上に、固定部の保持枠５に対し可動部の支持枠３が吸引保持する構造から、従来のような機械的精度が必要な保持部材を必要としないため組み立てが容易であると同時に低廉な画像ぶれ防止装置が提供できる。
【図面の簡単な説明】
【００２８】
【図１】本発明の画像振れ防止装置の１実施例の平面図である。
【図２】本発明における断面図である。
【図３】鋼球を狭持する円盤磁石の全方向移動形態の様子を示す図である。
【図４】本発明の保持機構のマグネットの作用状態を説明した断面図であり、Ａ図は静止時、Ｂ図は移動時における磁極間の磁力線と作用引力の様子を説明したものである。
【図５】本発明の保持機構のマグネットの他の応用例として、長方形磁石を用いた場合の様子を示した斜視図である。
【符号の説明】
【００２９】
１  光軸
２  補正レンズ
３  支持枠
４  案内板
５  保持枠
６  下ヨーク
７  上ヨーク
８  Ｙ駆動マグネット
９  Ｙ駆動マグネット
１０  Ｘ駆動マグネット
１１  Ｘ駆動マグネット
１２  Ｙ駆動コイル
１３  Ｘ駆動コイル
１４  ネジ
１５  ネジ
１６  保持機構
１７  保持機構
１８  保持機構
【図１】
2006215122.tif 000003
【図２】
2006215122.tif 000004
【図３】
2006215122.tif 000005
【図４】
2006215122.tif 000006
【図５】
2006215122.tif 000007